(57)【特許請求の範囲】
【請求項１】
自機と相手機間における複数ページにわたる送信原稿のうち、各ページの画像データを送信する毎に、当該画像データの送信に係る成否判定を行う成否判定手段と、前記画像データの通信制御を行う通信制御手段と、を備え、画像データの送信中にエラーが生じたとき、画像データの再送信を行う機能を有するファクシミリ装置であって、
相手機の稼働状況に係る稼働情報を取得する稼働情報取得手段と、
前記稼働情報取得手段で取得した稼働情報に基づいて、再送予告情報の送信に係る要否判定を行う要否判定手段と、
を備え、
前記通信制御手段は、
画像データの送信中にエラーが生じたときであって、前記要否判定手段における要否判定の結果、再送予告情報の送信が必要である旨の判定が下されたとき、再送に係る画像データに再送予告情報を付加して伝送する一方、再送予告情報の送信が不要である旨の判定が下されたとき、再送予告情報を付加することなく、再送に係る先頭ページから画像データをそのまま伝送する、
ことを特徴とするファクシミリ装置。
【請求項２】
請求項１記載のファクシミリ装置であって、
前記稼働情報は、
非標準機能識別信号の態様をもって、前記相手機から前記自機宛に伝送される、
ことを特徴とするファクシミリ装置。
【請求項３】
請求項１又は２記載のファクシミリ装置であって、
前記稼働情報は、
前記相手機が最後に印刷した画像はファクシミリ画像か否かに係る画像フラグと、
最後に受信した発信元のファクシミリ番号が前記自機に係るファクシミリ番号と一致するか否かに係る一致フラグと、
を含み、
前記要否判定手段は、
前記画像フラグの情報が、最後に印刷した画像はファクシミリ画像である旨を表し、かつ、前記一致フラグの情報が、最後に受信した発信元のファクシミリ番号が前記自機に係るファクシミリ番号と一致する旨を表しているとき、再送予告情報の送信は不要である旨の判定を下す、
ことを特徴とするファクシミリ装置。
【発明の詳細な説明】
【技術分野】
【０００１】
本発明は、画像データの送信中にエラーが生じたとき、画像データの再送信を行う機能を有するファクシミリ装置に係り、特に、無駄な情報通信を可及的に抑制して、情報通信に係る効率を高水準に維持可能なファクシミリ装置に関する。
【背景技術】
【０００２】
近年のファクシミリ装置において、複数ページにわたる原稿画像の送信中に、公衆回線網の不具合等の何らかのエラーが生じたとき、再送信を行うものが知られている。
【０００３】
かかる再送信技術の一例として、特許文献１には、複数ページにわたる原稿画像の送信中にエラーが生じたとき、正常に送信が終了した複数のページのデータを変倍縮小して送信データサイズ内に配置し、さらに再送信のメッセージを付加することにより、再送信用の表紙を作成し、この再送信用表紙に残りの原稿画像を付加して再送信を行う技術が開示されている。特許文献１に係る再送信技術によれば、送信側では、再送信の際に、既送信済みの複数ページの原稿を縮小して掲載した再送信用表紙を作成し、この再送信用表紙に付加して残りの原稿を送信することにより、再送信時間と送信コストを低減する一方で、受信側では、送信停止によって分割されて受信されてくる文書のつながりを容易かつ確実に判別できるので、作業効率の低下を抑止することができる。
【０００４】
ところが、本発明者の研究によると、例えば、エラー発生時における相手機の稼働状況によっては、そもそも再送予告それ自体の不要な場面が存在することに気付いた。すなわち、エラー発生時における相手機が、その受信原稿に係るジョブ以外の未処理ジョブを有していない稼働状況下にあるときには、再送予告情報の送信を省略して、再送に係る先頭ページからそのまま送信を続行しても、受信側における原稿の混在はもとより、何らの問題も生じないのである。
【特許文献１】特開２０００−１７５０１４号公報
【発明の開示】
【発明が解決しようとする課題】
【０００５】
解決しようとする問題点は、複数ページにわたる原稿画像の送信中にエラーが生じたとき、従来技術では、無駄な情報通信を行う場面が生じがちであった点である。
【課題を解決するための手段】
【０００６】
本発明は、複数ページにわたる原稿画像の送信中にエラーが生じたときであっても、無駄な情報通信を可及的に抑制して、情報通信に係る効率を高水準に維持可能なファクシミリ装置を得ることを目的として、自機と相手機間における複数ページにわたる送信原稿のうち、各ページの画像データを送信する毎に、当該画像データの送信に係る成否判定を行う成否判定手段と、前記画像データの通信制御を行う通信制御手段と、を備え、画像データの送信中にエラーが生じたとき、画像データの再送信を行う機能を有するファクシミリ装置であって、相手機の稼働状況に係る稼働情報を取得する稼働情報取得手段と、前記稼働情報取得手段で取得した稼働情報に基づいて、再送予告情報の送信に係る要否判定を行う要否判定手段と、を備え、前記通信制御手段は、画像データの送信中にエラーが生じたときであって、前記要否判定手段における要否判定の結果、再送予告情報の送信が必要である旨の判定が下されたとき、再送に係る画像データに再送予告情報を付加して伝送する一方、再送予告情報の送信が不要である旨の判定が下されたとき、再送予告情報を付加することなく、再送に係る先頭ページから画像データをそのまま伝送する、ことを最も主要な特徴とする。
【発明の効果】
【０００７】
本発明に係るファクシミリ装置では、通信制御手段は、画像データの送信中にエラーが生じたときであって、前記要否判定手段における要否判定の結果、再送予告情報の送信が必要である旨の判定が下されたとき、再送に係る画像データに再送予告情報を付加して伝送する一方、再送予告情報の送信が不要である旨の判定が下されたとき、再送予告情報を付加することなく、再送に係る先頭ページから画像データをそのまま伝送するので、これにより、例えば自社機間などの特殊制御手順を共有する機種間において、相手機から伝送されてきた稼働情報に基づく再送予告情報に係る要否判定の結果、再送予告情報の送信が不要である旨の判定が下されたとき、再送予告情報の送信が省略されることになる。従って、複数ページにわたる原稿画像の送信中にエラーが生じたときであっても、無駄な情報通信を可及的に抑制して、通信コストの低減、通信時間の短縮化、消耗品の使用量削減等の観点から、情報通信に係る効率を高水準に維持することができる。
【発明を実施するための最良の形態】
【０００８】
複数ページにわたる原稿画像の送信中にエラーが生じたときであっても、無駄な情報通信を可及的に抑制して、情報通信に係る効率を高水準に維持可能なファクシミリ装置を得るといった目的を、画像データの送信中にエラーが生じたときであって、前記要否判定手段における要否判定の結果、再送予告情報の送信が必要である旨の判定が下されたとき、再送に係る画像データに再送予告情報を付加して伝送する一方、再送予告情報の送信が不要である旨の判定が下されたとき、再送予告情報を付加することなく、再送に係る先頭ページから画像データをそのまま伝送する通信制御手段によって実現した。
【実施例】
【０００９】
以下、本発明実施例に係るファクシミリ装置について、図面を参照しつつ詳細に説明する。
【００１０】
なお、以下において、本発明実施例に係るファクシミリ装置として、ファクシミリ通信機能の他に、コピー機能、プリンタ機能、スキャナ機能等の画像形成に関する多様な機能を備えたデジタル複合機を例示して説明する。
【００１１】
［本発明実施例に係るファクシミリ装置（デジタル複合機）の概略構成］
図１は、本発明実施例に係るファクシミリ装置（デジタル複合機）の概略構成を示す機能ブロック図、図２は、同ファクシミリ装置（デジタル複合機）における操作パネル部の外観図である。
【００１２】
本発明実施例に係るファクシミリ装置１０は、自機と相手機間における複数ページにわたる各送信原稿の全てに発信元情報を付加して伝送する通信処理機能を有する。すなわち、本装置１０は、ファクシミリ通信ジョブの他に、コピージョブ、印刷ジョブ、又はネットワーク送信（メール送信やデータ送信）ジョブを含む諸機能が利用可能であり、マイクロコンピュータ及び専用のハードウェア回路等から構成される主制御部１１によって制御される。この主制御部１１に接続され諸機能を担う入出力機器として、本装置１０は、スキャナ部２１、画像処理部３１、エンジン部４１、操作パネル部５１、ＨＤＤ（ハードディスクドライブ）６１、ネットワークＩ／Ｆ（インタフェース）部６３、並びに、ファクシミリ通信部６５を備える。
【００１３】
主制御部１１は、スキャナ機能を実現するための動作制御を行うスキャナコントローラ１３、コピー機能を実現するための動作制御を行うコピーコントローラ１５、プリンタ機能を実現するための動作制御を行うプリンタコントローラ１７、並びに、ファクシミリ機能を実現するための動作制御を行うファクシミリコントローラ（本発明の「通信制御手段」に相当する。）１９、を内蔵し、本装置全体の動作を統括制御する。
【００１４】
スキャナ部２１は、図示しないスキャナを構成する画像照射ランプ２３及びＣＣＤ（電荷結合素子：Charge Coupled Device）センサー２５を含む。スキャナ部２１は、画像照射ランプ２３により原稿を照射し、その反射光をＣＣＤセンサー２５で受光することにより、原稿から画像を読み取り、読み取った画像に対応する画像データを画像処理部３１へ出力する。
【００１５】
画像処理部３１は、補正部３３、画像加工部３５及び画像メモリ３７を含む。画像処理部３１は、スキャナ部２１で読み取られた画像データを必要に応じて補正部３３及び画像加工部３５により処理し、処理された画像データを画像メモリ３７に記憶したり、エンジン部４１、ファクシミリ通信部６５等へ出力する。補正部３３は、スキャナ部２１で読み取られた画像データに対してレベル補正、Ｙ補正等の所定の補正処理を行う。画像加工部３５は、画像データの圧縮又は伸張処理、及び拡大又は縮小処理等の種々の加工処理を行う。
【００１６】
エンジン部４１は、図示しない給紙カセットや給紙ローラ等から構成される用紙搬送部４３、図示しない感光体ドラム、露光装置、現像装置等から構成される画像形成部４５、図示しない転写ローラ等から構成される転写部４７、及び図示しない定着ローラ等から構成される定着部４９を含む。エンジン部４１は、スキャナ部２１で読み取られた画像データ、ネットワークＩ／Ｆ部６３を介してＬＡＮ（Local Area Network）によりクライアントＰＣ（パーソナルコンピュータ）等から送信された画像データ、ファクシミリ通信部６５を用いて外部のファクシミリ装置等から受信したファクスデータ等の画像データを用いて画像を用紙に印刷する。具体的には、用紙搬送部４３は用紙を画像形成部４５へ搬送し、画像形成部４５は上記の画像データに対応するトナー像を形成し、転写部４７はトナー像を用紙に転写し、定着部４９はトナー像を用紙に定着させて画像を形成する。
【００１７】
操作パネル部５１は、図１及び図２に示すように、タッチパネル部５３及び操作キー部５５を含む。操作パネル部５１は、ユーザがファクシミリ機能、スキャナ機能、プリンタ機能、コピー機能等に関する操作を行うために使用され、ユーザによる操作指令等を主制御部１１に与える。
【００１８】
タッチパネル部５３は、タッチパネルとカラーＬＣＤ（Liquid Crystal Display）とを組み合わせたタッチパネルユニット等から構成され、種々の操作画面、例えば、コピー機能実行時には、原稿サイズ、コピーサイズ、複写部数等に関する情報を表示するとともに、ユーザが該当部分をタッチすることにより種々の操作指令を入力するための操作ボタン類を表示する。
【００１９】
操作キー部５５は、ユーザの操作入力を受付けるための複数の操作キーを備えており、例えば、ファクシミリ機能、コピー機能、プリンタ機能、スキャナ機能、などの諸機能のなかから、所要機能のキー入力操作をユーザが選択的に実行する際に用いられる。具体的には、例えば、ファクシミリ機能の利用時にユーザが送信宛先Ｆａｘ番号を選択するためのテンキー入力操作を行う際や、ワンタッチダイヤル、短縮ダイヤルに係る入力操作を行う際に用いられる。
【００２０】
ＨＤＤ（ハードディスクドライブ）６１は、スキャナ部２１によって読み取られた画像データ及び同画像データに設定されている出力形式等の種々のデータ等を記憶する。ＨＤＤに記憶されている画像データは、画像形成装置、プログラム及び記録媒体内部で使用されるだけでなく、必要に応じて、ネットワークＩ／Ｆ部６３を介してクライアントＰＣ等から確認したり、クライアントＰＣやＦＴＰサーバ等の所定のフォルダへ転送される。
【００２１】
ネットワークＩ／Ｆ部６３は、ネットワークインタフェース（１０／１００Ｂａｓｅ−ＴＸ）等を用い、ＬＡＮを介して接続されたクライアントＰＣ等のユーザ端末６７に対する種々のデータの送受信を制御する。
【００２２】
ファクシミリ通信部６５は、スキャナ部２１によって読み取られた送信原稿の画像データを公衆回線網７１を介して相手機７３へ送信したり、相手機７３から送信されてきた画像データを受信する機能を有し、符号化／復号化部６７、変復調部６８、及び網制御部６９を含んで構成されている。
【００２３】
符号化／復号化部６７は、送信原稿に係る画像データの圧縮及び符号化を行なうとともに、受信した画像データの伸長及び復号化を行なう機能を有している。
【００２４】
変復調部６８は、圧縮／符号化された画像データの音声信号への変調、並びに受信した音声信号の画像データへの復調を行なう機能を有している。
【００２５】
網制御部６９は、ＮＣＵ（Network Control Unit）に相当し、公衆回線網７１網にダイヤル信号を送出する等の網制御を行う機能を有している。
【００２６】
ところで、複数ページにわたる原稿画像の送信中にエラーが生じたときであっても、無駄な情報通信を可及的に抑制して、情報通信に係る効率を高水準に維持可能なファクシミリ装置を得るために、主制御部１１に内蔵されるファクシミリコントローラ１９（本発明の「通信制御手段」に相当する。）は、複数ページにわたる送信原稿のうち、各ページの画像データを送信する毎に、当該画像データの送信に係る成否判定を行う送信成否判定部（本発明の「成否判定手段」に相当する。）７５と、送信成否判定部７５で画像データの送信に成功した旨の判定が下されたとき、当該送信に成功した該当ページに係る画像データを対象とした、画像メモリ３７の記憶容量に係る削減処理を実行するメモリ管理部７７と、送信成否判定部７５で画像データの送信に失敗した旨の判定が下されたとき、当該送信に失敗した該当ページの直前ページに係る画像データを画像メモリ３７から読み出して、当該読み出した画像データにおける発信元情報として、再送に係る先頭ページをこれから送信する旨の予告情報を付加することにより、再送送付状ページに係る画像データを作成する再送送付状作成部７９と、相手機の稼働状況に係る稼働情報を取得する稼働情報取得部（本発明の「稼働情報取得手段」に相当する。）８１と、稼働情報取得部８１で取得した稼働情報に基づいて、再送予告情報の送信に係る要否判定を行う予告要否判定部（本発明の「要否判定手段」に相当する。）８３と、を備え、画像データの送信中にエラーが生じたときであって、予告要否判定部における要否判定の結果、再送予告情報の送信が必要である旨の判定が下されたとき、再送に係る画像データに再送予告情報を付加して伝送する一方、再送予告情報の送信が不要である旨の判定が下されたとき、再送予告情報を付加することなく、再送に係る先頭ページから画像データをそのまま伝送する、機能を有して構成されている。なお、メモリ管理部７７が、「送信に成功した該当ページに係る画像データを対象とした、画像メモリ３７の記憶容量に係る削減処理を実行する」とは、該当ページに係る画像データのデータ量を圧縮する処理と、該当ページに係る画像データを削除する処理と、の両者を含む概念である。
【００２７】
［本発明実施例に係るファクシミリ装置の動作］
次に、本発明実施例に係るファクシミリ装置の動作の流れについて、図３乃至図５を参照して説明する。図３は、本発明実施例に係るファクシミリ装置の動作フローチャート図、図４は、エラー発生から再送信に至るまでのファクシミリ送信手順を示す概念図、図５は、発信元情報として、再送に係る先頭ページをこれから送信する旨の予告情報が付加された再送送付状の説明図である。なお、以下では、自機１０からある相手機７３宛に原稿（５ページ）に係る画像データを送信する場合を例示して説明する。また、原稿に係る画像データは、ユーザのスタートキー操作によって、スキャナ部２１による原稿の読み込みがなされることで、画像メモリ３７における所定の記憶領域に蓄積記憶されているものとする。
【００２８】
図３に示すように、主制御部（ファクシミリコントローラ１９を含む。以下、同じ。）１１は、ユーザの操作によって指定された相手機７３宛に、１ページ分の画像データを単位とする画像データ送信処理をファクシミリ通信部６５に実行させる旨の指令信号を送出する。これを受けて、ファクシミリ通信部６５は、指令信号に従う画像データ送信処理を実行する（ステップＳ１１）。
【００２９】
次いで、送信成否判定部７５は、複数ページにわたる送信原稿のうち、各ページの画像データを送信する毎に、当該画像データの送信に係る成否判定を行う（ステップＳ１２）。
【００３０】
ステップＳ１２における送信成否判定の結果、画像データの送信に成功した旨の判定が下されたとき、メモリ管理部７７は、当該送信に成功した該当ページに係る画像データを、画像メモリ３７の記憶内容から逐次削除する処理を実行する（ステップＳ１３）。ここで、ステップＳ１３において、メモリ管理部７７は、ステップＳ１３における逐次削除処理に代えて、当該送信に成功した該当ページに係る画像データのデータ量を圧縮する処理を実行する構成を採用してもよい。この場合、送信に成功した全画像データは、次述するステップＳ１４における終了判定の結果、送信原稿の全ページの送信が終了した旨の判定が下されたときに、その全ページの記憶内容が画像メモリ３７から一括削除されることになる。
【００３１】
次いで、主制御部１１は、ファクシミリ送信に係る進捗状況を監視することで、ファクシミリ送信を終了させるか否かに係る終了判定を行う（ステップＳ１４）。
【００３２】
ステップＳ１４における終了判定の結果、主制御部１１は、送信原稿の全ページ（５ページ）の送信が終了していない旨の判定が下されたとき、処理の流れをステップＳ１１へ戻し、以下の処理を順次行わせる一方、送信原稿の全ページ（５ページ）の送信が終了した旨の判定が下されたとき、自機１０から相手機７３宛にＤＣＮ（Disconnect）信号（切断命令信号）をファクシミリ通信部６５に送信させることにより、一連の送信処理を終了させる。
【００３３】
以上が、画像データの送信中にエラーが発生することなく、正常にファクシミリ送信を行うことが出来た場合の処理の流れである。
【００３４】
これに対し、例えば図４に示すように、４ページ目の画像データを送信中にエラーが発生した場合の処理の流れについて説明する。
【００３５】
すなわち、ステップＳ１２における送信成否判定の結果、４ページ目の画像データを送信中に、画像データの送信に失敗した旨の判定が下されたとき、再送送付状作成部７９は、図４に示すように、当該送信に失敗した該当ページ（４ページ目）の直前ページ（３ページ目）に係る画像データを画像メモリ３７から読み出して、当該読み出した画像データ（３ページ目）における発信元情報として、再送に係る先頭ページ（４ページ目）をこれから送信する旨の予告情報を付加することにより、再送送付状ページに係る画像データを作成する（ステップＳ１５）。ここで、予告情報としては、例えば図５に示すように、「本ページは再送送付状です。次ページ以降は初送原稿です。」などといったメッセージを、送信に失敗した該当ページ（４ページ目）の直前ページ（３ページ目）における発信元情報として付加すればよい。なお、再送送付状となる直前ページ（３ページ目）に対し、必要に応じて、画像サイズの縮小処理（例えば９０％サイズ縮小などの、僅かな縮小処理でよい。）を施すように構成してもよい。このように、再送送付状ページには、送信に失敗した該当ページ（４ページ目）の直前ページ（３ページ目）に対し、従来の発信元情報（例えば、発信元会社名、発信元所属名、発信元ファクシミリ番号、発信年月日、発信日時、発信元文書番号、送信原稿のページ番号など）の付加に代えて、再送に係る先頭ページ（４ページ目）をこれから送信する旨の予告情報が、発信元情報として付加されているので、従来技術のように、再送送付状を視認したとしても、各ページのサイズが小さすぎてその内容がわからない、などといった問題が生じることはない。
【００３６】
次いで、主制御部１１は、ファクシミリ送信に係る進捗状況を監視することで、ファクシミリ送信を終了させるか否かに係る終了判定を行うが（ステップＳ１４）、この場合、３ページ目の再送送付状ページを含む３枚（３〜５ページ）が未だ送信されていないため、処理の流れをステップＳ１１へ戻し、以下の処理を順次行わせる。なお、３ページ目の再送送付状ページの送信が成功したときには、メモリ管理部７７は、再送送付状ページに係る画像データを、画像メモリ３７の記憶内容から削除する処理を実行することになる（ステップＳ１３）。以上が、画像データの送信中にエラーが発生した場合の処理の流れである。
【００３７】
ところで、本発明者の研究によると、例えば、エラー発生時における相手機の稼働状況によっては、そもそも再送予告それ自体の不要な場面が存在する。すなわち、エラー発生時における相手機が、その受信原稿に係るジョブ以外の未処理ジョブを有していない稼働状況下にあるときには、再送予告情報の送信を省略して、再送に係る先頭ページからそのまま送信を続行しても、受信側における原稿の混在はもとより、何らの問題も生じないのである。
【００３８】
そうした観点から、ファクシミリコントローラ１９は、画像データの送信中にエラーが生じたときであって、予告要否判定部８３における要否判定の結果、再送予告情報の送信が必要である旨の判定が下されたとき、再送に係る画像データに再送予告情報を付加して伝送する一方、再送予告情報の送信が不要である旨の判定が下されたとき、再送予告情報を付加することなく、再送に係る先頭ページから画像データをそのまま伝送するようにしている。
【００３９】
次に、自機１０と相手機７３間におけるファクシミリ通信手順について、図面を参照して説明する。
【００４０】
図６は、自機１０から相手機７３宛に、原稿（５ページ）に係る画像データをファクシミリ送信する際の手順を示す。なお、図６において括弧付き番号はシーケンス番号を示す。
【００４１】
（画像データをファクシミリ送信する際の手順）
自機１０から相手機７３宛に、原稿（５ページ）に係る画像データをファクシミリ送信するにあたっては、図６に示すように、まず、自機１０から相手機７３宛にコーリングトーン（ＣＮＧ）を送出する。これを受けて相手機７３は、被呼局識別信号（ＣＥＤ）を送出するとともに（シーケンス番号（以下、「ｓｑ」と省略する。）１１）、非標準機能識別信号（ＮＳＦ）、被呼局識別信号（ＣＳＩ）、並びにデジタル識別信号（ＤＩＳ）を送出する（ｓｑ１２）。
【００４２】
ここで、本発明実施例では、相手機７３の稼働状況に係る稼働情報は、非標準機能識別信号（以下、「ＮＳＦ信号」という。）の態様をもって、相手機７３から自機１０宛に伝送されている。なお、相手機から伝送されてきたＮＳＦ信号は、エラー発生時点から遡って、相手機７３が最後に印刷した画像はファクシミリ画像か否かに係る画像フラグ（Image flag）と、最後に受信した発信元のファクシミリ番号が自機１０に係るファクシミリ番号と一致するか否かに係る一致フラグ（Identity flag）と、を含んでいる。この場合、予告要否判定部８３は、画像フラグの情報が、最後に印刷した画像はファクシミリ画像である旨を表し、かつ、一致フラグの情報が、最後に受信した発信元のファクシミリ番号が自機１０に係るファクシミリ番号と一致する旨を表しているとき、そもそも再送予告それ自体が不要であるとみなして、再送予告情報の送信は不要である旨の判定を下すことになる。
【００４３】
自機１０は、これらの信号を受信すると、同受信した信号に係る情報を参照して、再送要求が生じた際（画像データの送信中に、画像データの送信に失敗したとき）に、再送送付状ページを付加すべきか否かを判断する（ｓｑ１３）。具体的には、自機１０におけるファクシミリコントローラ１９（予告要否判定部８３）は、画像データの送信中にエラーが生じたときであって、画像フラグの情報が、最後に印刷した画像はファクシミリ画像ではないか、或いは、一致フラグの情報が、最後に受信した発信元のファクシミリ番号が自機１０に係るファクシミリ番号と一致しないとき、再送予告情報の送信が必要である旨の判定を下して、再送に係る画像データに再送予告情報を付加して伝送する制御を行う。一方、自機１０におけるファクシミリコントローラ１９（予告要否判定部８３）は、画像データの送信中にエラーが生じたときであって、画像フラグの情報が、最後に印刷した画像はファクシミリ画像であり、かつ、一致フラグの情報が、最後に受信した発信元のファクシミリ番号が自機１０に係るファクシミリ番号と一致するとき、再送予告情報の送信が不要である旨の判定を下して、再送予告情報を付加することなく、再送に係る先頭ページから画像データをそのまま伝送する制御を行う。
【００４４】
これにより、例えば自社機間などの特殊制御手順（ＮＳＦ信号）を共有する機種間において、相手機から伝送されてきた稼働情報（ＮＳＦ信号）に基づく再送予告情報に係る要否判定の結果、再送予告情報の送信が不要である旨の判定が下されたとき、再送予告情報の送信が省略されることになる。従って、複数ページにわたる原稿画像の送信中にエラーが生じたときであっても、無駄な情報通信を可及的に抑制して、情報通信に係る効率を高水準に維持することができる。なお、以下の処理では、この要否判定結果に従う処理がなされることになる。
【００４５】
次いで、自機１０は、送信局識別信号（ＴＳＩ）およびデジタル命令信号（ＤＣＳ）を送出（ｓｑ１４）した後、トレーニングチェック信号（ＴＣＦ）を送出する（ｓｑ１５）。
【００４６】
相手機７３は、自機１０からのトレーニングチェック信号（ＴＣＦ）を受信すると（ｓｑ１５）、受信準備確認信号（ＣＦＲ）を返す（ｓｑ１６）。
【００４７】
自機１０は、相手機７３からの受信準備確認信号（ＣＦＲ）を受信すると、原稿に係る画像データ（ＰＩＸ）を送出する（ｓｑ１７）。なお、ｓｑ１７で送出される原稿に係る画像データは、通常処理では、複数ページにわたる送信原稿のうち、先頭ページから最終ページに至る画像データが画像メモリ３７から順次読み出された後に送出されるのに対し、再送要求が生じた際には、画像メモリ３７における所定の記憶領域（いわゆるキャッシュ領域）に記憶されている原稿に係る画像データが、このキャッシュ領域から読み出された後に送出されることになる。なお、画像メモリ３７におけるキャッシュ領域の容量は、最低限１ページ分の画像データが記憶できるだけの容量を確保しておけば足りる。この場合において、キャッシュ領域に保持されている画像データを、１ページ分の画像データの送信が確認できた時点で消去（クリア処理）するように運用すればよい。
【００４８】
次いで、自機１０は、ｓｑ１７における画像データ（ＰＩＸ）の送出後に、部分ページ信号（ＰＰＳ）／マルチページ信号（ＭＰＳ）を送出する（ｓｑ１８）。
【００４９】
マルチページ信号（ＭＰＳ）を受信した相手機７３は、メッセージ確認信号（ＭＣＦ）を返す（ｓｑ１９）。
【００５０】
自機１０は、メッセージ確認信号（ＭＣＦ）を受信すると、ｓｑ１７で送出した原稿に係る画像データ（ＰＩＸ）を、画像メモリ３７における所定の記憶領域に記憶させる（ｓｑ２０）。なお、ｓｑ２０における記憶処理は、ｓｑ１７で再送に係る画像データを送出した場合には省略することができる。画像メモリ３７における所定の記憶領域には、ｓｑ１７で送出した原稿に係る画像データが既に記憶されているからである。以下、最終ページの原稿に係る画像データ送信処理に至るまで、ｓｑ１７〜ｓｑ１９のシーケンスを繰り返し実行する。
【００５１】
最終ページの原稿に係る画像データ送信処理では、自機１０は、最終ページの原稿に係る画像データ（ＰＩＸ）を送出する（ｓｑ２１）。
【００５２】
次いで、自機１０は、ｓｑ２１における最終ページの原稿に係る画像データ（ＰＩＸ）の送出後に、部分ページ信号（ＰＰＳ）／手順終了信号（ＥＯＰ）を送出する（ｓｑ２２）。
【００５３】
手順終了信号（ＥＯＰ）を受信した相手機７３は、メッセージ確認信号（ＭＣＦ）を返す（ｓｑ２３）。
【００５４】
自機１０は、メッセージ確認信号（ＭＣＦ）を受信すると、切断命令信号（ＤＣＮ）を送出する（ｓｑ２４）。これにより、一連のファクシミリ送信処理が終了して、回線が切断される。最後に、自機１０は、画像メモリ３７における所定の記憶領域（いわゆるキャッシュ領域）に記憶されている原稿に係る画像データ（ＰＩＸ）を、全てクリアする処理を行う。これは、一連のファクシミリ送信処理が終了したことによって、もはや画像メモリ３７のキャッシュ領域に原稿に係る画像データを保持しておく必要がなくなったことに基づく。
【００５５】
［実施例の効果］
以上説明したように、本発明実施例に係るファクシミリ装置１０によれば、ファクシミリコントローラ１９は、画像データの送信中にエラーが生じたときであって、予告要否判定部８３における要否判定の結果、再送予告情報の送信が必要である旨の判定が下されたとき、再送に係る画像データに再送予告情報を付加して伝送する一方、再送予告情報の送信が不要である旨の判定が下されたとき、再送予告情報を付加することなく、再送に係る先頭ページから画像データをそのまま伝送するようにしたので、これにより、例えば自社機間などの特殊制御手順（ＮＳＦ信号）を共有する機種間において、相手機から伝送されてきた稼働情報（ＮＳＦ信号）に基づく再送予告情報に係る要否判定の結果、再送予告情報の送信が不要である旨の判定が下されたとき、再送予告情報の送信が省略されることになる。従って、複数ページにわたる原稿画像の送信中にエラーが生じたときであっても、無駄な情報通信を可及的に抑制して、通信コストの低減、通信時間の短縮化、消耗品の使用量削減等の観点から、情報通信に係る効率を高水準に維持することができる。
【００５６】
［その他］
本発明は、上述した実施例に限られるものではなく、請求の範囲及び明細書全体から読み取れる発明の要旨、あるいは技術思想に反しない範囲で適宜変更可能であり、そのような変更を伴うファクシミリ装置もまた、本発明における技術的範囲の射程に包含されるものである。
【図面の簡単な説明】
【００５７】
【図１】本発明実施例に係るファクシミリ装置の概略構成を示すブロック図である。
【図２】本ファクシミリ装置における操作パネル部の外観図である。
【図３】本ファクシミリ装置の動作フローチャート図である。
【図４】エラー発生から再送信に至るまでのファクシミリ送信手順を示す概念図である。
【図５】発信元情報として、再送に係る先頭ページをこれから送信する旨の予告情報が付加された再送送付状の説明図である。
【図６】自機から相手機宛に、原稿に係る画像データをファクシミリ送信する際の手順を示す図である。
【符号の説明】
【００５８】
１１  主制御部
１９  ファクシミリコントローラ（通信制御手段）
３７  画像メモリ
６５  ファクシミリ通信部
７５  送信成否判定部（成否判定手段）
７７  メモリ管理部（メモリ管理手段）
７９  再送送付状作成部（再送送付状作成手段）
８１  稼働情報取得部（稼働情報取得手段）
８３  予告要否判定部（要否判定手段）
【図１】
0004907589.tif 000002
【図２】
0004907589.tif 000003
【図３】
0004907589.tif 000004
【図４】
0004907589.tif 000005
【図５】
0004907589.tif 000006
【図６】
0004907589.tif 000007